(57)【要約】      （修正有）【課題】高強度で組立てが容易でかつ種々の用途に適用自在な、積層段ボール製テーブルを提供する。【解決手段】天板２０と、前記天板の下方に所定の間隔で設けた棚板６０と、前記天板の両端部に連結した一対の脚板８０と、これら脚板の下部においてその間に掛け渡したステー板９０とを備える段ボール製テーブル１００であって、前記脚板は、前記天板に当接する上当接部と、前記ステー板に当接する下当接部とに加え、前記脚板は、前記棚板に当接する中当接部を有する。【選択図】図１
0003154266.tif 000002
【実用新案登録請求の範囲】
【請求項１】
天板と、前記天板の下方に所定の間隔で設けた棚板と、前記天板の両端部に連結した一対の脚板と、これら脚板の下部においてその間に掛け渡したステー板とを備える段ボール製テーブルであって、
前記脚板は、前記天板に当接する上当接部と、前記ステー板に当接する下当接部とに加え、前記脚板は、前記棚板に当接する中当接部を有することを特徴とする段ボール製テーブル。
【請求項２】
前記天板と、前記棚板との間に、前記天板の長手方向に沿って延在する長仕切板と、この仕切板に略直交する短仕切板とを設け、
前記脚板は、付加的な当接部として、前記長仕切板の端部に係合する係合部を有することを特徴とする段ボール製テーブル。
【請求項３】
前記天板に当接する脚板・上当接部は、棚板に設けた貫通孔部の孔を通過して延在する脚板の上端面に位置して、前記天板の下面に当接し、
前記棚板に当接する脚板・中当接部は、脚板・上端面において前記上当接部よりも下段に位置して、前記棚板の下面に当接し、
前記ステー板に当接する脚板・下当接部は、前記脚板の中央ないし下部に設けたスリット状の係合部の下部に位置して、前記ステー板の端部に当接していることを特徴とする請求項１記載の段ボール製テーブル。
【考案の詳細な説明】
【技術分野】
【０００１】
本考案は、積層段ボール製のテーブルに関する。
【背景技術】
【０００２】
従来から、強度を確保すべく、所定の形態に形成した段ボールを積層した積層段ボールを用い、種々の製品が製造されている。例えば、特許文献１は、積層段ボール製の簡易テーブルを開示し、これは、天板と、これに対向する座板とからなり、これら天板と座板は、その間の多数の支持脚によって連結され、さらに、多数の横揺れ防止板を支持脚に架け渡して横揺れを防止している。
しかしながら、このような既知のテーブルは、天板や座板の他に、多数の支柱の使用を必須とするため、組立て作業性に問題がある。また、これら支柱をそれらの下部において相互に連結する横揺れ防止板が設けているため、使用者がテーブルの下に足を入れることができず、受け付け用テーブルなどの用途に限定されてしまうという問題もある。
【先行技術文献】
【特許文献】
【０００３】
【特許文献１】実開平７−３６７６０号公報
【考案の概要】
【考案が解決しようとする課題】
【０００４】
前記問題点に鑑み、本考案の課題は、高強度で組立てが容易でかつ種々の用途に適用自在な、積層段ボール製テーブルを提供することである。
【課題を解決するための手段および考案の効果】
【０００５】
本考案者は、前記課題を解決すべく鋭意検討した結果、天板を支える要素として、対向する一対の脚部を設けると共に多数の横揺れ防止板に代えて単一の棚板/ステーを設けることにより、前記課題を解決できることを見出し、この知見に基づき、本考案が完成するに至ったのである。
すなわち、本考案は、天板と、前記天板の下方に所定の間隔で設けた棚板と、前記天板の両端部に連結した一対の脚板と、これら脚板の下部においてその間に掛け渡したステー板とを備える段ボール製テーブルであって、
前記脚板は、前記天板に当接する上当接部と、前記ステー板に当接する下当接部とに加え、前記脚板は、前記棚板に当接する中当接部を有することを特徴とする段ボール製テーブルを提供する。
本考案によれば、一対の脚部しか設けずかつ横揺れ防止板の使用を排除して単一のステーを前記脚部に設けることにより、組立てが容易でかつ種々の用途に適用自在であるという、技術的効果を奏することができる。また、既知の技術によれば、その脚部は、天板と横揺れ防止板の２つの箇所しか当接していないのに対し、本考案によれば、脚部は、天板とステーとの２つの箇所の当接部分に加え、棚板と当接しているため、横揺れなどに対して充分な強度を示すという、技術的効果を奏することができる。
すなわち、本考案は、一対の脚部しか設けていないにも拘らず、強度と使用の利便性の両方を充足することができた。
【図面の簡単な説明】
【０００６】
【図１】本考案の積層段ボール製テーブルに関し、その第１実施形態を示す斜視図。
【図２】図1に示した本考案のテーブル（以下、単に「前記テーブル」）を構成する天板の展開図。
【図３】前記テーブルを構成する仕切板の展開図。
【図４】前記テーブルを構成する棚板の展開図。
【図５】前記テーブルを構成するステー板の正面図。
【図６】前記テーブルを構成する脚板の側面図。
【図７】前記テーブルを一方向から見た図面。
【図８】前記テーブルの脚板を、棚板の貫通孔部の孔に挿入させる直前の状態を示す斜視図。
【図９】本考案のテーブルに関し、第２実施形態の組立てまえの要部を示す斜視図。
【図１０】本考案のテーブルに関し、第２実施形態の組立てあとの要部を示す斜視図。
【考案を実施するための形態】
【０００７】
前記したように、本考案は、天板（20）と、前記天板の下方に所定の間隔で設けた棚板（60）と、前記天板の両端部に連結した一対の脚板（80）と、これら脚板の下部においてその間に掛け渡したステー板（90）とを備える段ボール製テーブル（100）であって、
前記脚板は、前記天板に当接する上当接部（83）と、前記ステー板に当接する下当接部（86）とに加え、前記脚板は、前記棚板に当接する中当接部（84）を有することを特徴とする段ボール製テーブルを提供する〔番号は添付の図面、参照〕。
本明細書に関し、展開図は、組立て前の段ボールを平面状態で示し、本考案のテーブルの外側を示す表図である。また、展開図では、段が反復して形成される方向を流れ方向と呼び、この流れ方向に垂直な方向を反流れ方向と呼ぶ。また、上下や左右等の方向は、段ボール製テーブルの組立て後の状態を基準とする。
さらに、本明細書に関し、各構成要素は、テーブルの使用状態を基準として命名する一方、主要な要素は、組立て前のブランクの状態に関し、各要素の名称の後ろに「本体」を付加して命名すると共に各要素の符号は、「’」を添える。例えば脚板80は、ブランクの状態では「脚板本体80’」と呼ぶ。
【０００８】
次に、添付の図面を参照しながら、本考案の実施形態を説明することにより、本考案を更に詳しく説明するが、本考案はこれら実施形態に制限されるものではない。本考案の各要素は、数枚の段ボールブランクを積層して接着した積層段ボールまたは１枚の段ボールブランクを折畳んで接着した積層段ボールのいずれかからなる。なお、段ボールは、ABフルートを用いた。
−第１実施形態100−
図1は、本考案の積層段ボール製テーブルに関し、その実施形態を示す斜視図である。
テーブル100は、天板20と、前記天板20の下方に所定の間隔で設けた棚板60と、天板20と棚板60との間に設けた仕切板30と、天板20の両端部に連結した一対の脚板80と、これら脚板80の下部においてその間に掛け渡したステー板90とを備える。
＜天板20＞
図２は、天板の展開図であって、（イ）は上天板本体を示し、（ロ）は下天板本体を示す。
天板20は、テーブル100の最上面に位置し、長方形で同じ外寸の、上天板本体20’a（１枚）と下天板本体20’b（２枚）とを積層／接着して形成され、その全体が直方体である。天板20は、上面側がラミネート加工され、耐水性を示す一方、下面側は、仕切板30および脚板80を各々差し込むための差込み凹部21,22および差込み凹部23が形成される。これら凹部21,22および凹部23の空間は、各々、下天板本体20’bに形成される小孔状の凹部本体21’,22’および大孔状の凹部本体23’から形成される。なお、仕切板30用の凹部には、長手方向に所定の間隔で形成される凹部21と、これと直行する方向に所定の間隔で形成される凹部22が包含され、前者は、長仕切板40用の凹部である一方、後者は、短仕切板50用の凹部である〔仕切板30の詳細は、以下の項目、参照〕。
【０００９】
＜仕切板30＞
図３は仕切板の展開図であって、（イ）は長仕切板本体を示し、（ロ）は短仕切板本体を示す。
仕切板30は、天板20と棚板60との間において、その空間を仕切り、その全体が直方体状に形成された長仕切板40および短仕切板50の二種類がある。前者は、天板20（棚板60）の長手方向中央線上に配置し、後者は、前者に直交するよう配置する。
長仕切板40は、その長方形状本体40’を折畳んで二重に積層し接着することによって形成され、その上部および下部において、各々、差込み凹部21（天板）に差込まれる上突片41および差込み凹部62（棚板）に差込まれる下突片42を有し、これら突片41,42を凹部21,62に差込むことによって、長仕切板40は、天板20および棚板60に連結することができる。さらに、長仕切板40は、その両端において、脚板80の上端面に係合するスリット状の係合部43を備える〔詳細には、脚板80の項目、参照〕。
同様に、短仕切板50も、その長方形状本体50’を折畳んで二重に積層し接着することによって形成され、その上部および下部において、各々、差込み凹部21（天板）に差込まれる上突片51および差込み凹部62（棚板）に差込まれる下突片52を有し、これら突片51,52を凹部21,62に差込むことによって、短仕切板50は、天板20および棚板60に連結することができる。
前記したように、長仕切板40および短仕切板50は、相互に直交するため、それらの長手方向中央において、各々、相互に係合するスリット状の係合部45および55を備える。この実施形態では、１枚の長仕切板40に対し、３枚の短仕切板50を、所定の間隔で配置する。
【００１０】
仕切板40,50は、その本体40’,50’を折畳んで二重に積層して形成されるため、これらの折目として、本体40’および50’は、各々、組立て状態で水平方向に延在する山折り半切り罫線48および58を有し、さらに、前記した要素に対応した本体を有する。
すなわち、図4の展開図によれば、上突片41（51）は、突片本体41’（51’）に対応し、この本体41’（51’）は、罫線48（58）に沿って切欠し当該罫線48（58）を横断して切欠形成した矩形空間を含む。下突片42（52）は、上下長辺上において系外方に突出する矩形状の突片本体42’（52’）に対応し、係合部45（55）は、上下長辺上中央においてスリット状に切欠した係合部本体45’（55’）に対応する。なお長仕切板・係合部43は、係合部本体43’に対応する。
【００１１】
＜棚板60＞
図4は、棚板の展開図であって、（イ）は上棚板本体を示し、（ロ）は下棚板本体を示す。
棚板60は、長方形状で同じ外寸の、本体60’a（１枚）と60’b（１枚）とを積層／接着して形成される。棚板60は、その全体が直方体であり、その長手方向の長さは、天板20と略同じである一方、その幅方向の長さは、天板20よりも短く、これにより、テーブル100の下に使用者の足を入れるスペース・確保をより向上させることができる。棚板60は、その端部において脚板80の上部が通過する孔を形成する貫通孔部61を有すると共に、その上面において、仕切板・下突片42が嵌合する差込み凹部62を有する。なお、棚板本体60’は、これら構成要素に対応する本体を有し、貫通孔部61は、両方の本体60’に設けた貫通孔部本体61’に対応し、差込み凹部62は、一方の本体60’bに設けた差込み凹部本体62’に対応する。なお、差込み凹部62は、差込み凹部本体62’の開口部分が他方の本体62’bの上面部分によって下方向に関して閉鎖されることによって形成される。
【００１２】
＜ステー板90＞
図5は、ステー板の正面図である。
ステー板90は、同形の本体（４枚）を積層／接着して棒状に形成され、その両端部において、脚板の上端面に形成した係合部85に係合する凹部状の係止片91を備える。なお、ステー板90の本体に関し、その流れ方向は長手方向に一致する。
＜脚板80＞
図6は、脚板の側面図である。
図7は、本考案のテーブルを一方向から見た図面であって、（イ）は平面図であり、（ロ）は（イ）のＡ−Ａ断面図であり、（ハ）は（イ）のＢ−Ｂ断面図である。
脚板80は、同形の本体（10枚）を積層／接着して形成され、その上端面において、１つのスリット状係合部81（これは、長仕切板40の端部に係合）と、この係合部81を挟むように位置する一組の突片82（これは、天板・差込み凹部22に差込む）と、これら突片82から外方に一段下がった第１段部に相当する、一組の上当接部83（これは、天板20の下面に当接）と、さらに第１段部から外方に一段下がった第２段部に相当する、一組の中当接部84（これは、棚板60の下面に当接）とを備える〔図1／図6、参照〕。なお、係合部81は、上端面の中央に位置し、他の要素82〜84は、対称形に形成される。
さらに、脚板80は、その中央ないし下部において、係合部81の直下に位置する係合部85を備える。係合部85は、その全体がスリット状であって、上下方向に長く下方に向いて幅狭となりかつ水平方向に貫通する孔を形成し、この孔に、ステー板90の端部を挿入して係合させる。すなわち、係合部85の下部は、ステー板・係合片91が当接する下当接部86に相当する。なお、脚板80の本体に関し、その反流れ方向は長手方向に一致する。
【００１３】
＜組立て＞
図8は、前記テーブルの脚板を、天地逆にした棚板の貫通孔部の孔に挿入させる直前の状態を示す斜視図である。
一般に、本考案のテーブルは、予め、天板20と仕切板30と棚板60とを組合せて、一体形のユニットを形成し、このユニットと共に、脚板80とステー板90とを搬送し、テーブルが使用される現場で最終の組立てを行うことができる。
すなわち、現場において、ユニットを天地逆にし、一組の脚板80を、天地逆にした棚板60の貫通孔部61の孔に挿入して組込み、次いで使用状態の天地に戻し、脚板・スリット状係合部85にステー板90を掛け渡してテーブルを完成することができる〔図1、参照〕。この状態では、天板20の下面は、上当接部83に当接すると共に、棚板60の下面は、中当接部84に当接し、かつステー板90の端部は、下当接部86に当接する。なお、長仕切板40も、係合部81に当接しており、係合部81を含め、いずれの当接部も、脚板80に存在する。
以上のように、テーブル100を迅速容易に組立てることができると共に、テーブル100の下方に足を入れることができ、汎用性を高めることができる。更に、横揺れを確実に防止して、実用性を高めることができた。
【００１４】
−第２実施形態−
図9は、第２実施形態の組立てまえの要部を示す斜視図であって、（イ）は、天板の連結状態を示し、（ロ）は、脚部の連結状態を示す。
図10は、第２実施形態の組立てあとの要部を示す斜視図であって、（イ）は、天板の連結状態を示し、（ロ）は、脚部の連結状態を示す。
第２実施形態は、本考案のテーブル100を２台、連結した構造を有する。
２台のテーブル100に関し、各天板20の端部Eにおいて、外方に先細の切欠部Ｓを形成すると共に〔図10（イ）〕、各ステー板90の端部において、突片Pと、この突片Pと略同寸法の挿入孔Bを相互に差込み自在に設ける〔図10（ロ）〕。これらのテーブル100は、1）切欠部Ｓが相互に連通するように端部Eを接触させ、これら切欠部Ｓによって形成された空間にジョイントJを嵌め込んで、天板20を相互に連結すると共に〔図11(イ)〕、2）ステー板90に関し、一方の突片Pおよび挿入孔Bが、各々、他方の挿入孔Bおよび突片Pに嵌合するように、ステー板90を相互に連結させて〔図11（ロ）〕、第２実施形態のテーブル（図示せず）を完成することができる。
【符号の説明】
【００１５】
20：天板  60：棚板  80：脚板  83：上当接部  84：中当接部  86：下当接部  90：ステー板  100：テーブル
【図１】
0003154266.tif 000003
【図２】
0003154266.tif 000004
【図３】
0003154266.tif 000005
【図４】
0003154266.tif 000006
【図５】
0003154266.tif 000007
【図６】
0003154266.tif 000008
【図７】
0003154266.tif 000009
【図８】
0003154266.tif 000010
【図９】
0003154266.tif 000011
【図１０】
0003154266.tif 000012
【手続補正書】
【提出日】平成21年8月3日(2009.8.3)
【手続補正１】
【補正対象書類名】実用新案登録請求の範囲
【補正対象項目名】全文
【補正方法】変更
【補正の内容】
【実用新案登録請求の範囲】
【請求項１】
天板と、前記天板の下方に所定の間隔で設けた棚板と、前記天板の両端部に連結した一対の脚板と、これら脚板の下部においてその間に掛け渡したステー板とを備える段ボール製テーブルであって、
前記脚板は、前記天板に当接する上当接部と、前記ステー板に当接する下当接部とに加え、前記脚板は、前記棚板に当接する中当接部を有することを特徴とする段ボール製テーブル。
【請求項２】
前記天板と、前記棚板との間に、前記天板の長手方向に沿って延在する長仕切板と、この仕切板に略直交する短仕切板とを設け、
前記脚板は、付加的な当接部として、前記長仕切板の端部に係合する係合部を有することを特徴とする請求項１に記載の段ボール製テーブル。
【請求項３】
前記天板に当接する脚板・上当接部は、棚板に設けた貫通孔部の孔を通過して延在する脚板の上端面に位置して、前記天板の下面に当接し、
前記棚板に当接する脚板・中当接部は、脚板・上端面において前記上当接部よりも下段に位置して、前記棚板の下面に当接し、
前記ステー板に当接する脚板・下当接部は、前記脚板の中央ないし下部に設けたスリット状の係合部の下部に位置して、前記ステー板の端部に当接していることを特徴とする請求項１記載の段ボール製テーブル。